(57)【特許請求の範囲】
【請求項１】
外殻の一部を構成し手を挿抜可能な処理空間からなる手挿入部を備えたケーシングと、
前記ケーシングに内蔵されて空気流を発生させる空気流発生部と、
前記手挿入部の上部から下方に向って空気流を噴出させるノズルと、
前記ケーシングの下方に配置された水受け部と、
前記水受け部の下方に配置されたドレン容器と、
を備え、
前記水受け部は、手挿入部の下方に配置されて取り外しできる着脱底面部と、手挿入部の下方に配置されて取り外しできない固定底面部と、に分割された底面側水受け部を含む複数の部品で構成され、
前記着脱底面部は、前記ドレン容器で支持されており、前記ドレン容器を前記ケーシングから取り外すことなく、前記ドレン容器に対して上方に取り外し可能であること、
を特徴とする手乾燥装置。
【請求項２】
前記着脱底面部と前記固定底面部との分割部に隙間を設け、前記水受け部で受けた水滴を前記隙間を通して前記ドレン容器へ導くこと、
を特徴とする請求項１に記載の手乾燥装置。
【請求項３】
前記ドレン容器は、前記ケーシングの下部に着脱可能に備えられていること、
を特徴とする請求項２に記載の手乾燥装置。
【請求項４】
前記ドレン容器と前記ケーシングとは嵌め合い構造により連結されること、
を特徴とする請求項３に記載の手乾燥装置。
【請求項５】
前記ケーシングは、前記ドレン容器と前記ケーシングとの前記嵌め合い構造が前記ケーシングの下部に設けられていること、
を特徴とする請求項４に記載の手乾燥装置。
【請求項６】
前記手乾燥装置の前後方向において、前記ドレン容器と前記ケーシングとの嵌め合い構造の少なくとも一部が、前記分割部より後方に位置していること、
を特徴とする請求項５に記載の手乾燥装置。
【請求項７】
前記底面側水受け部の左右の端縁部が上方に突出した防水壁とされ、前記嵌め合い構造が前記防水壁の下部に設けられていること、
を特徴とする請求項４から６のいずれか１つに記載の手乾燥装置。
【請求項８】
前記水受け部は２部品で構成されていること、
を特徴とする請求項１から７のいずれか１つに記載の手乾燥装置。
【発明の詳細な説明】
【技術分野】
【０００１】
本発明は、洗浄後の濡れた手を乾燥させるための手乾燥装置に関する。
【背景技術】
【０００２】
従来、温風空気または高速空気流を濡れた手に当てることで手を乾燥させる手乾燥装置が知られている。特許文献１には、外部に向かって開口した挿入口から手を抜き差しできる乾燥室と、乾燥室の底部の水受け部に向けて空気を送出するノズルと、ノズルから空気を送出するファンモータとを備えた手乾燥装置であって、水受け部は２部品により構成され、そのうち少なくとも１部品を取り外しできる構成とした手乾燥装置が開示されている。【０００３】
特許文献１の手乾燥装置の水受け部は、２部品が嵌め合わされた嵌め合い部に、ドレン容器に通じる排水口となる左右方向の隙間を形成した構成とされている。
【先行技術文献】
【特許文献】
【０００４】
【特許文献１】特開２００８−２００４７４号公報
【発明の概要】
【発明が解決しようとする課題】
【０００５】
しかしながら、手から飛ばされる水滴を受け止める水受け部は、水垢、手に付着していた油成分およびその他の汚れ成分といった手から除去された水分に含まれる不純物、および空気中に漂っている埃が堆積し汚れてしまう。このため、上記特許文献１の手乾燥装置では、水受け部を清潔に保つために、水受け部を２部品で構成し、そのうち少なくとも手を乾燥するために立つ手乾燥装置の正面側の１部品を取り外しできる構成とすることで、清掃性を向上させている。【０００６】
しかしながら、水受け部の正面側の１部品は、手乾燥装置の背面側の１部品に嵌め合い構造によって装着される構造であるため、水受け部で受けた水が水受け部の上面における水受け部の分割面から嵌め合い構造にも到達し、汚れが堆積しやすかった。嵌め合い構造部を実現するためには凹凸のある複雑な形状を必要とするため、正面側の１部品を外すことができても、嵌め合い構造部に溜まった汚れの除去が容易ではなく、清掃性に問題があった。【０００７】
本発明は、上記に鑑みてなされたものであって、取り外し可能な水受け部の清掃性を向上させた手乾燥装置を得ることを目的とする。
【課題を解決するための手段】
【０００８】
上述した課題を解決し、目的を達成するために、本発明にかかる手乾燥装置は、外殻の一部を構成し手を挿抜可能な処理空間からなる手挿入部を備えたケーシングと、ケーシングに内蔵されて空気流を発生させる空気流発生部と、手挿入部の上部から下方に向って空気流を噴出させるノズルと、ケーシングの下方に配置された水受け部と、水受け部の下方に配置されたドレン容器とを備える。水受け部は、手挿入部の下方に配置されて取り外しできる着脱底面部と、手挿入部の下方に配置されて取り外しできない固定底面部と、に分割された底面側水受け部を含む複数の部品で構成され、着脱底面部は、ドレン容器で支持されており、ドレン容器をケーシングから取り外すことなく、ドレン容器に対して上方に取り外し可能である。
【発明の効果】
【０００９】
本発明にかかる手乾燥装置は、取り外し可能な水受け部の清掃性が向上する、という効果を奏する。
【図面の簡単な説明】
【００１０】
【図１】本発明の実施の形態１にかかる手乾燥装置の外観を示す斜視図
【図２】本発明の実施の形態１にかかる手乾燥装置の側面断面図
【図３】本発明の実施の形態１にかかる手乾燥装置の水受け部およびドレン容器を取り外した状態の外観を示す斜視図
【図４】本発明の実施の形態１にかかる手乾燥装置の水受け部、排水口およびドレン容器の形状を示す側面断面図
【図５】本発明の実施の形態１にかかる手乾燥装置におけるドレン容器を取り外す状態を示す側面断面図
【図６】本発明の実施の形態１にかかる手乾燥装置において着脱底面部を取り外した状態の外観を示す斜視図
【発明を実施するための形態】
【００１１】
以下に、本発明の実施の形態にかかる手乾燥装置を図面に基づいて詳細に説明する。なお、この実施の形態によりこの発明が限定されるものではない。
【００１２】
実施の形態１．
図１は、本発明の実施の形態１にかかる手乾燥装置１００の外観を示す斜視図である。図２は、本発明の実施の形態１にかかる手乾燥装置１００の側面断面図である。図３は、本発明の実施の形態１にかかる手乾燥装置１００の水受け部４およびドレン容器６を取り外した状態の外観を示す斜視図である。図４は、本発明の実施の形態１にかかる手乾燥装置１００の水受け部４、排水口５およびドレン容器６の形状を示す側面断面図である。
【００１３】
図１から図３に示すように、手乾燥装置１００の外殻をなすケーシング１は、手を乾燥するために人が立つ手乾燥装置１００の正面側および側面側に手挿入口２を有し、手挿入口２に続く処理空間として手挿入部３を備えており、手を挿抜できるようにしてある。ケーシング１は、後述する高圧空気流発生装置８および図示しない制御回路といった構成部を内部に収容する。手挿入部３は、ケーシング１の正面下部に、正面と両側面が開放した開放シンク状の凹部として形成されており、正面側および両側面側から手を挿抜できるようにしてある。
【００１４】
手挿入部３の底部側と後ろ側には、水受け部４が形成されている。水受け部４の左右方向および前方の端縁部には、前方または上方に突出した曲面構成の立ち上がりによる防水壁４４が設けられ、側方および前方に水が飛散しないようになっている。
【００１５】
水受け部４は、複数の部品によって構成されており、手挿入部３の後ろ側において手乾燥装置１００の高さ方向に延在して設けられた立壁面を有する背面部である背面側水受け部４ａと、手挿入部３の底部側に設けられた底面部である底面側水受け部４ｂとを備える。すなわち、水受け部４は、手挿入部３の底部側から後ろ側にわたって、側面断面において断面Ｌ形状に設けられている。
【００１６】
背面側水受け部４ａは、手挿入部３の後ろ側に設けられている。底面側水受け部４ｂは、背面側水受け部４ａの下部から手乾燥装置１００の正面側に向かって延在してケーシング１に固定された固定底面部４１ｂと、着脱自在に設けられたトレイ形状の着脱底面部４２ｂとに分割されている。背面側水受け部４ａと固定底面部４１ｂとは、一体に形成されており、またケーシング１の一部を構成している。
【００１７】
着脱底面部４２ｂは、図２および図４に示すように手乾燥装置１００の後方に向かって下傾しており、傾斜の下端に排水口５が設けられている。すなわち、着脱底面部４２ｂにおける後ろ側の外縁領域４２ｂａと、固定底面部４１ｂにおける前方側の外縁領域４１ｂａとは、前後方向において重複した重複領域４３を有する。また、重複領域４３において、外縁領域４２ｂａは、外縁領域４１ｂａとの間に排水口５となる隙間を有した状態で外縁領域４１ｂａの上部に配置されている。前後方向は、手乾燥装置１００の奥行き方向である。
【００１８】
水受け部４の下方には、排水口５から滴下する水を貯留するドレン容器６が、ケーシング１に対して抜き差し自在に設けられている。ドレン容器６は、ケーシング１の一部であるケーシング係止突起部１９ａがドレン容器係止受け部１９ｂに係止されることで、ケーシング１に固定される。ケーシング１に対するドレン容器６の着脱については後述する。
【００１９】
手挿入部３の内面には、シリコン系の撥水性コーティングもしくはフッ素系の撥水性コーティング、酸化チタン等の親水性を有する材料のコーティングといったコーティングが施され、または抗菌剤が含浸され、手挿入部３の内面に汚れが付着するのを軽減したり、細菌が繁殖するのを低減したりするようにしてある。
【００２０】
手挿入部３の上部には、手挿入部３に向かって下方に高速空気を吹き出すノズル１２が設けられている。ノズル１２の背面側の近くには、手挿入部３における手の有無を検知する手検知センサー１４が設けられている。手挿入部３より上方に位置するケーシング１の側面には、吸気口９が形成されたメンテナンスパネル２０が配置されている。メンテナンスパネル２０の表面の一部においては、背面側から前面側に向かうにしたがって、左右方向における中央側に向かって傾斜する傾斜面が設けられている。そして、傾斜面の前面側の縁部とメンテナンスパネル２０の裏面との間に設けられた隙間によって吸気口９が構成されている。
【００２１】
手挿入部３の上方には、背面側の手乾燥装置１００の外殻をなすベース７とケーシング１とで箱体状の空間が構成される。ベース７は、固定保持板１６によってケーシング１の背面側に固定されている。箱体状の空間内には、ＤＣ（Ｄｉｒｅｃｔ  Ｃｕｒｒｅｎｔ）ブラシレスモーターと、ＤＣブラシレスモーターによって回転するターボファンとにより構成された空気流発生部である高圧空気流発生装置８と、手検知センサー１４における手の検知信号に応じて高圧空気流発生装置８の運転を制御する図示しない制御回路と、が組み込まれている。なお、ＤＣブラシレスモーターの代わりに、整流子モーターまたは誘導電動機が用いられてもよい。
【００２２】
また、箱体状の空間内には、高圧空気流発生装置８の吸気側と吸気口９とを連通する吸気風路１０と、高圧空気流発生装置８の排気側とノズル１２とを連通する排気通路１３と、が設けられている。排気通路１３の途中であってノズル１２より上流側には、高圧空気流発生装置８から送られてくる空気を加熱して温風化させるヒーター１５が設けられている。
【００２３】
吸気風路１０の前段には、高圧空気流発生装置８へ吸い込まれる空気中の塵埃を除去する樹脂製または金属製のフィルター１７がメンテナンスパネル２０と一体で成形され、ケーシング１の内側の側方へ着脱可能な状態で取り付けられている。フィルター１７は、ケーシング１の側面へのメンテナンスパネル２０の抜き差し動作で着脱できる。フィルター１７の面積は、吸気口９および吸気風路１０の通風方向に対する断面積よりも大きくしてある。なお、フィルター１７は、ＨＥＰＡ（Ｈｉｇｈ  Ｅｆｆｉｃｉｅｎｃｙ  Ｐａｒｔｉｃｕｌａｔｅ  Ａｉｒ）フィルターまたは抗菌フィルターであってもよい。
【００２４】
吸気口９は、ケーシング１の背面に設けられてもよい。吸気口９を背面に設ける場合は、ベース７の一部に吸気口９が配置される。ケーシング１の背面側に吸気口９を設けることで、手乾燥装置１００の外観の意匠性が向上する。
【００２５】
ケーシング１の上面には、操作スイッチ部１８が配置されている。操作スイッチ部１８には、制御回路への通電の入り切りを行う図示しない電源スイッチと、ノズル１２からの吹き出し風の風速の強弱を切り替えたり、ヒーター１５の入り切りを行う図示しない切り替えスイッチとがある。
【００２６】
つぎに、ケーシング１に対するドレン容器６の着脱について説明する。図５は、本発明の実施の形態１にかかる手乾燥装置１００におけるドレン容器６を取り外す状態を示す側面断面図である。
【００２７】
図３および図５に示すようにケーシング１の両側面の下部には、底面側水受け部４ｂの固定底面部４１ｂよりも前方に突出した一対のケーシング係止突起部１９ａが設けられている。一方、ドレン容器６の両側面における後ろ側の内壁部には、ケーシング１のケーシング係止突起部１９ａが嵌め込まれる凹形状の一対のドレン容器係止受け部１９ｂが設けられている。ケーシング１がケーシング係止突起部１９ａを備え、ケーシング係止突起部１９ａを挿入可能なドレン容器係止受け部１９ｂをドレン容器６が備えることで、ドレン容器６を手乾燥装置１００の前後方向に抜き差しでき、ドレン容器６がケーシング１に対して着脱自在とされている。
【００２８】
したがって、ケーシング係止突起部１９ａとドレン容器係止受け部１９ｂとによって構成されるドレン容器６とケーシング１との嵌め合い構造の少なくとも一部がケーシング１の下部に設けられており、手乾燥装置１００の前後方向において嵌め合い構造の少なくとも一部が固定底面部４１ｂと着脱底面部４２ｂとの分割部である排水口５より後方に位置している。これにより、水受け部４で受けた水が、分割部である排水口５より後方に位置している嵌め合い構造に到達することが無く、汚れが堆積することが抑制される。
【００２９】
ドレン容器６をケーシング１に装着する場合には、ケーシング１のケーシング係止突起部１９ａがドレン容器６のドレン容器係止受け部１９ｂに嵌め込まれる。これにより、図１、図２、図４および図５に示すように、ドレン容器６は、ケーシング１に固定され、ケーシング１から落ちることがない。そして、ケーシング１に対するドレン容器６の着脱は、底面側水受け部４ｂの着脱底面部４２ｂには関係なく、ケーシング１に対して独立して行われる。このため、ドレン容器６は、着脱底面部４２ｂがドレン容器６から取り外された状態でも、ケーシング１に対して固定されたままの状態を維持することができる。したがって、ドレン容器６とケーシング１とは嵌め合い構造によって連結されて固定可能とされている。
【００３０】
一方、ドレン容器６をケーシング１から取り外す場合には、図５に示すようにドレン容器６を前方に引っ張ることで、ケーシング１のケーシング係止突起部１９ａがドレン容器６のドレン容器係止受け部１９ｂから引き抜かれる。これにより、図３に示すように、ドレン容器６がケーシング１から取り外された状態とすることができる。
【００３１】
また、着脱底面部４２ｂの左右の端縁部には、曲面構成の立ち上がりによる防壁構造４２ｂｂが設けられ、ケーシング１のケーシング係止突起部１９ａとドレン容器６のドレン容器係止受け部１９ｂとの合わせ目を覆っている。これにより、使用を継続することで汚れが徐々についていくケーシング１のケーシング係止突起部１９ａとドレン容器６のドレン容器係止受け部１９ｂとの合わせ目での汚れの蓄積を低減することができる。
【００３２】
つぎに、着脱底面部４２ｂのドレン容器６に対する着脱について説明する。図６は、本発明の実施の形態１にかかる手乾燥装置１００において着脱底面部４２ｂを取り外した状態の外観を示す斜視図である。
【００３３】
着脱底面部４２ｂは、ドレン容器６に対して単独で着脱自在とされており、ドレン容器６に対して上方に取り外し可能とされている。すなわち、着脱底面部４２ｂにおける防壁構造４２ｂｂの上端の外周部は、ドレン容器６の上端部と同等の形状および寸法を有する。また、防壁構造４２ｂｂの上端の外周縁部における下面部は、ドレン容器６の上端部に対応した形状を有する。これにより、着脱底面部４２ｂの外周縁部の下面部がドレン容器６の上端部に嵌ることで、着脱底面部４２ｂがドレン容器６上に固定される。したがって、ドレン容器６と着脱底面部４２ｂとは嵌め合い構造によって連結されて固定可能とされている。
【００３４】
そして、着脱底面部４２ｂは、ドレン容器６がケーシング１に装着された状態またはドレン容器６がケーシング１から取り外された状態のいずれの状態においても、ドレン容器６に対して着脱自在とされている。したがって、図６に示すように、ドレン容器６がケーシング１に装着された状態で着脱底面部４２ｂをドレン容器６から単独で取り外すことができる。
【００３５】
これにより、実施の形態１にかかる手乾燥装置１００は、汚れが溜まりやすく使用者の目線に入る着脱底面部４２ｂを、ドレン容器６をケーシング１から取り外すことなく、単独で取り外して容易に清掃することができる。したがって、手を乾燥する際に飛び散った水滴は着脱底面部４２ｂに付着し、使用を継続すると汚れが徐々についてくるが、着脱底面部４２ｂを取り外して容易に清掃することができる。
【００３６】
また、実施の形態１にかかる手乾燥装置１００は、ドレン容器６をケーシング１から取り外した後に、着脱底面部４２ｂをドレン容器６から取り外して容易に清掃することができる。したがって、ドレン容器６に溜まった水を廃棄する際に、着脱底面部４２ｂをドレン容器６から取り外して容易に清掃することができる。
【００３７】
つぎに、手乾燥装置１００における水滴の回収について説明する。使用者が手挿入部３に手を挿入すると、高圧空気流発生装置８が作動し、ノズル１２から高速空気が吹き出される。これにより、高速空気によって手から水滴が吹き飛ばされる。手から吹き飛ばされた水滴は、水受け部４で受け止められる。上述したように、水受け部４の底面側水受け部４ｂにおいては、重複領域４３において、着脱底面部４２ｂにおける後ろ側の外縁領域４２ｂａと、固定底面部４１ｂにおける前方側の外縁領域４１ｂａとの間の隙間である排水口５が設けられている。
【００３８】
水受け部４で受け止められた水滴は、排水口５に送られ、水受け部４の下方に配置されたドレン容器６に回収される。着脱底面部４２ｂに受け止められた水滴は、後方に流れて排水口５に到達し、排水口５からドレン容器６に滴下する。一方、固定底面部４１ｂに受け止められた水滴は、前方に流れて排水口５に到達し、排水口５からドレン容器６に滴下する。また、背面側水受け部４ａに受け止められた水滴は、固定底面部４１ｂに流れ、固定底面部４１ｂを前方に流れて排水口５に到達し、排水口５からドレン容器６に滴下する。このように、水受け部４で受け止められた水滴は、底面側水受け部４ｂにおける固定底面部４１ｂと着脱底面部４２ｂとの分割部に設けられた隙間である排水口５を通して、水受け部４で受けた水滴がドレン容器６へ導かれる。
【００３９】
これにより、底面側水受け部４ｂにおける固定底面部４１ｂと着脱底面部４２ｂとの分割部に汚れが堆積することを抑制できる。すなわち、固定底面部４１ｂと着脱底面部４２ｂとの分割部に隙間を設けて排水口５として使用することで、水滴で分割部の汚れが流されるため、分割部に汚れが堆積することを抑制できる。また、固定底面部４１ｂと着脱底面部４２ｂとは、直接固定されておらず、固定底面部４１ｂと着脱底面部４２ｂとは嵌め合い構造によって固定される構造ではないため、底面側水受け部４ｂの形状が簡単になり、清掃性が向上する。
【００４０】
また、水受け部４で受け止められた水滴がドレン容器６に流れる過程の中で、底面側水受け部４ｂには汚れが蓄積しやすい。底面側水受け部４ｂは、使用者の目線に主に露出しており、清掃頻度が少ない場合には美観を損ねる。
【００４１】
ここで、着脱底面部４２ｂは、ケーシング１に対して着脱されるのではなく、上述したようにドレン容器６上に単独で着脱される構成とされている。これにより、着脱底面部４２ｂは、工具などを使用しなくても単独で上下方向に容易に取り外しが可能である。したがって、手乾燥装置１００は、汚れが蓄積しやすく頻繁に掃除しなければならない着脱底面部４２ｂを取り外して容易に清掃することができるため、水受け部４の衛生性および清潔性を保つことができ、また水受け部４の清掃性およびメンテナンス性が向上する。なお、ドレン容器６に対する着脱底面部４２ｂの固定方法は、嵌め合い構造以外に爪構造であっても同様の効果が得られる。
【００４２】
また、着脱底面部４２ｂを取り外すことで、ドレン容器６がケーシング１に装着された状態でも、固定底面部４１ｂを容易に清掃することが可能である。したがって、手を乾燥する際に飛び散った水滴は固定底面部４１ｂに付着し、使用を継続すると汚れが徐々についてくるが、固定底面部４１ｂを容易に清掃することができる。
【００４３】
また、着脱底面部４２ｂは、ドレン容器６に支持されており、固定底面部４１ｂとは固定されていない。そして、上述したようにドレン容器６は、ケーシング１に直接支持されている。これにより、ドレン容器６の満水時にドレン容器６に溜まった水の重量が重くなった場合でも、着脱底面部４２ｂと固定底面部４１ｂとの分割部の構造に直接力が加わるということがないため、前記分割部の構造を簡単にでき、水受け部４の清掃性を向上できる。
【００４４】
また、着脱底面部４２ｂが固定底面部４１ｂとは係止されない構造とすることで、着脱底面部４２ｂおよび固定底面部４１ｂを凹凸の少ない単純形状で構成することができるため、底面側水受け部４ｂの清掃が容易となる。
【００４５】
また、手乾燥装置１００は、汚れの溜まりやすい着脱底面部４２ｂをケーシング１に係止させずにドレン容器６に係止させる構造とされている。そして、着脱底面部４２ｂをドレン容器６に嵌め合わせて係止するための嵌め合い構造部１１が、着脱底面部４２ｂの外周縁部の下部に設けられている。すなわち、手乾燥装置１００は、嵌め合い構造部１１が手乾燥装置１００の外装面に面した構成とされている。この構成により、手乾燥装置１００は、使用を継続することで汚れが徐々についていく部品の合わせ目、すなわち着脱底面部４２ｂとドレン容器６との合わせ目である嵌め合い構造部１１を、水滴が直接吹き飛ぶ手挿入部３に面する領域外に配置することができる。したがって、手乾燥装置１００は、底面側水受け部４ｂで受けた水が嵌め合い構造部１１に到達しないので、嵌め合い構造部１１に汚れが堆積することを抑制でき、清掃頻度が少なくても、底面側水受け部４ｂの周辺の美観を保つことが可能となる。
【００４６】
また、ドレン容器６の上方に配置した着脱底面部４２ｂによって、使用を継続することで汚れが徐々についていく着脱底面部４２ｂを係止するための嵌め合い構造部１１を、使用者の上方からの目線に対して覆い隠すことができる。これにより、底面側水受け部４ｂの周辺の外観に起因して、使用者が手挿入部３に手を挿入したくないという不快感を軽減することが可能となる。
【００４７】
また、水受け部４は、背面側水受け部４ａと底面側水受け部４ｂとの２部品で構成されており、分割部が１箇所とされている。一般的に、部品の分割部は汚れが堆積しやすい。しかしながら、水受け部４は、分割部が１箇所なので、汚れの堆積箇所を最低限にできる。
【００４８】
また、水受け部４の左右方向および前方の端縁部には、前方または上方に突出した曲面構成の立ち上がりによる防水壁４４が設けられている。そして、ドレン容器６とケーシング１との嵌め合い構造は少なくとも防水壁４４の下部に設けられている。このため、防水壁４４で受け止められた水滴は、速やかに着脱底面部４２ｂまたは固定底面部４１ｂに流れ、排水口５を通してドレン容器６へ導かれる。これにより、防水壁４４で受け止められた水滴はドレン容器６とケーシング１との嵌め合い構造に到達しにくく、嵌め合い構造に汚れが堆積することを抑制できる。
【００４９】
上述したように、本実施の形態１にかかる手乾燥装置１００は、最も汚れが蓄積する水受け部４における底面側水受け部４ｂの着脱底面部４２ｂのみを取り外して、容易に清掃することが可能である。また、着脱底面部４２ｂを取り外すことで、ドレン容器６がケーシング１に装着された状態でも、固定底面部４１ｂを容易に清掃することが可能である。これにより、手乾燥装置１００は、頻繁に掃除しなければならない水受け部４の衛生性および清潔性を保つことができ、また水受け部４の清掃性およびメンテナンス性が向上する。
【００５０】
したがって、本実施の形態１にかかる手乾燥装置１００によれば、取り外し可能な水受け部４の清掃性が向上する、という効果が得られる。
【００５１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５２】
１  ケーシング、２  手挿入口、３  手挿入部、４  水受け部、４ａ  背面側水受け部、４ｂ  底面側水受け部、５  排水口、６  ドレン容器、７  ベース、８  高圧空気流発生装置、９  吸気口、１０  吸気風路、１１  嵌め合い構造部、１２  ノズル、１３  排気通路、１４  手検知センサー、１５  ヒーター、１６  固定保持板、１７  フィルター、１８  操作スイッチ部、１９ａ  ケーシング係止突起部、１９ｂ  ドレン容器係止受け部、２０  メンテナンスパネル、４１ｂ  固定底面部、４１ｂａ，４２ｂａ  外縁領域、４２ｂ  着脱底面部、４２ｂｂ  防壁構造、４３  重複領域、４４  防水壁、１００  手乾燥装置。
【図１】
0006727434.tif 000002
【図２】
0006727434.tif 000003
【図３】
0006727434.tif 000004
【図４】
0006727434.tif 000005
【図５】
0006727434.tif 000006
【図６】
0006727434.tif 000007